(57)【要約】【課題】  給湯管内を流通する湯の熱効率の低下を抑制することができるとともに、施工の容易性を図ることができる給水及び給湯装置並びにその施工方法を提供する。【解決手段】給水及び給湯装置は、図示しない給湯器が収容された給湯器用ボックス１１と、給水用ヘッダー及び給湯用ヘッダーが収容され、前記給湯器用ボックス１１が載置されるヘッダーボックス１２とが一体化されて構成されている。そして、前記給湯器から延びる給水管２２及び給湯管４０の全部分が給湯器用ボックス１１内及びヘッダーボックス１２内に配設されるようになっている。【選択図】      図１
2005127546.tif 000002
【特許請求の範囲】
【請求項１】
給水用ヘッダー及び給湯用ヘッダーを収容するヘッダーボックスと、給湯器を収容する給湯器用ボックスとが一体化され、建物の基礎に固定されることを特徴とする給水及び給湯装置。
【請求項２】
前記ヘッダーボックスには点検口が開口されている請求項１に記載の給水及び給湯装置。
【請求項３】
前記給水用ヘッダー及び給湯用ヘッダーの端部外周面にはフランジが周設され、各フランジには別の給水用ヘッダー及び給湯用ヘッダーの端部外周面に周設されたフランジが突き合わされるとともに、突き合わされた両フランジに連結部材を装着することにより給水用ヘッダー同士及び給湯用ヘッダー同士が連結されるように構成されている請求項１又は請求項２に記載の給水及び給湯装置。
【請求項４】
請求項１から請求項３のいずれか一項に記載の給水及び給湯装置の施工方法であって、前記建物の基礎にヘッダーボックスを固定し、該ヘッダーボックス上に給湯器用ボックスを固定することを特徴とする請求項１から請求項３のいずれか一項に記載の給水及び給湯装置の施工方法。
【発明の詳細な説明】
【技術分野】
【０００１】
本発明は、例えば台所、浴室及び洗面所等の水回り機器の各水栓に給水及び給湯するために使用される給水及び給湯装置並びにその施工方法に関するものである。
【背景技術】
【０００２】
従来より、この種の給水及び給湯装置としては以下に示すようなものが知られている（例えば、特許文献１参照）。すなわち、給湯器の下流側に配水盤が設けられているタイプのものである。この配水盤は、前面及び上面が開口されたケーシング部と該ケーシング部の開口を塞ぐように取付けられる蓋体部とから構成されている。
【０００３】
ケーシング部は、その後面に突設されたハウジング部を家屋の基礎に設けられた切欠き部に嵌挿させることにより配設されている。また、ケーシング部内には給水ヘッダー及び給湯ヘッダーが段違い状に取付け固定され、これらの外周面にはそれぞれ複数の給水配管接続口及び給湯配管接続口が突設されている。
【０００４】
前記給水ヘッダーの一端部には減圧弁部が接続されるとともに、他端部には給湯器へと延びる給水管がエルボ継手を介して接続されている。また、給湯ヘッダーの一端部は閉塞されており、他端部には給湯器から延びる給湯管がエルボ継手を介して接続されている。給水配管接続口及び給湯配管接続口には、台所、浴室及び洗面所等の水回り機器から延びる給水配管及び給湯配管が接続されている。
【特許文献１】特開２００１−２４８１９２号公報（第３頁〜第５頁、図２〜図８）
【発明の開示】
【発明が解決しようとする課題】
【０００５】
ところが、上記従来の給水及び給湯装置は、給湯器と各ヘッダーとが離間して配置され、これに伴って給水管及び給湯管が外部に露出して配設されている。このため、特に冬期等に気温が低下する場合には、給湯管が外気により冷やされ、その内部を流通する湯の熱効率が低下してしまうという問題があった。加えて、上記給水及び給湯装置を施工する場合には、給湯器及び各ヘッダーとも配水盤を介して接続用配管（給水管及び給湯管等）を接続しなければならず、そのような作業に手間がかかるという問題があった。また、その作業を行うためのスペースも確保しなければならなかった。
【０００６】
本発明は、このような従来技術に存在する問題点に着目してなされたものである。その目的とするところは、給湯管内を流通する湯の熱効率の低下を抑制することができるとともに、施工の容易性を図ることができる給水及び給湯装置並びにその施工方法を提供することにある。
【課題を解決するための手段】
【０００７】
上記の目的を達成するために、請求項１に記載の発明の給水及び給湯装置は、給水用ヘッダー及び給湯用ヘッダーを収容するヘッダーボックスと、給湯器を収容する給湯器用ボックスとが一体化され、建物の基礎に固定されることを要旨とする。
【０００８】
請求項２に記載の発明の給水及び給湯装置は、請求項１に記載の発明において、前記ヘッダーボックスには点検口が開口されていることを要旨とする。
請求項３に記載の発明の給水及び給湯装置は、請求項１又は請求項２に記載の発明において、前記給水用ヘッダー及び給湯用ヘッダーの端部外周面にはフランジが周設され、各フランジには別の給水用ヘッダー及び給湯用ヘッダーの端部外周面に周設されたフランジが突き合わされるとともに、突き合わされた両フランジに連結部材を装着することにより給水用ヘッダー同士及び給湯用ヘッダー同士が連結されるように構成されていることを要旨とする。
【０００９】
請求項４に記載の発明の給水及び給湯装置の施工方法は、請求項１から請求項３のいずれか一項に記載の給水及び給湯装置の施工方法であって、前記建物の基礎にヘッダーボックスを固定し、該ヘッダーボックス上に給湯器用ボックスを固定することを要旨とする。
【発明の効果】
【００１０】
以上詳述したように、本発明によれば、次のような効果を奏する。
請求項１に記載の発明の給水及び給湯装置によれば、給湯管内を流通する湯の熱効率の低下を抑制することができるとともに、施工の容易性を図ることができる。
【００１１】
請求項２に記載の発明の給水及び給湯装置によれば、請求項１に記載の発明の効果に加えて、ヘッダーボックス内を容易に点検することができる。
請求項３に記載の発明の給水及び給湯装置によれば、請求項１又は請求項２に記載の発明の効果に加えて、給水用ヘッダー同士及び給湯用ヘッダー同士を容易に連結させることができる。
【００１２】
請求項４に記載の発明の給水及び給湯装置の施工方法によれば、請求項１から請求項３のいずれか一項に記載の給水及び給湯装置を容易かつ迅速に施工することができる。
【発明を実施するための最良の形態】
【００１３】
以下、本発明の最良の実施形態を図面に基づいて詳細に説明する。
図１に示すように、給水及び給湯装置は、図示しない給湯器が収容された給湯器用ボックス１１と、給水用ヘッダー及び給湯用ヘッダーが収容され、前記給湯器用ボックス１１が載置されるヘッダーボックス１２とが一体化されて構成されている。なお、以下において前後左右は、同図における給湯器用ボックス１１を正面から見た場合の前後左右を示すものとする。
【００１４】
まず、ヘッダーボックス１２について説明する。図５に示すように、ヘッダーボックス１２は後側壁が開口された側断面コ字状に形成されている。同ヘッダーボックス１２は、建物の基礎１３に設けられた通気口１３ａに後部の開口を臨ませるとともに、後端面を基礎１３の前面に当接させた状態で図示しない犬走り上に固定されている。図６に示すように、ヘッダーボックス１２の左側壁には側面視略正方形状の挿通孔１４が形成されている。また、ヘッダーボックス１２の上側壁には平面視細長四角形状の点検口としての第１点検口１５が開口されている。
【００１５】
このヘッダーボックス１２上には給湯器用ボックス１１が載置され、その底壁がヘッダーボックス１２の上側壁に固定されている。給湯器用ボックス１１の前面は開閉扉１６となり、同開閉扉１６はその右端部に設けられた図示しない蝶番により開閉されるようになっている。また、給湯器用ボックス１１の底壁には前記第１点検口１５に連通する平面視細長四角形状の第２点検口１７が開口されている。そして、ヘッダーボックス１２に給湯器用ボックス１１が載置及び固定された状態で、第２点検口１７と前記第１点検口１５との周縁は一致するようになっている。
【００１６】
図２及び図５に示すように、前記ヘッダーボックス１２内には給水用ヘッダー及び給湯用ヘッダーが配設されている。これら両ヘッダーは、ヘッダーボックス１２の底壁に固定された側断面略Ω字状をなす第１固定部材１８に支持されるとともに、同第１固定部材１８に固定された第２固定部材１９の内側に配設され、この第２固定部材１９により締付け固定されている。
【００１７】
給水用ヘッダーは、給水元管２０が接続される第１給水用ヘッダー２１と、この第１給水用ヘッダー２１と同一形状をなし、給湯器へと延びる給水管２２が接続される第２給水用ヘッダー２３とが連結部材としてのクイックファスナー３１により連結されて構成されている。この給水用ヘッダーは、ヘッダーボックス１２内の後部に配置されている。
【００１８】
第１給水用ヘッダー２１は、金属材料により略円筒状に形成され、その内部には同第１給水用ヘッダー２１の長さ方向に延びる第１流路２４が貫通形成されている。第１給水用ヘッダー２１の外周面には複数（本実施形態では３つ）の第１分岐管２５がその開口部を前記通気口１３ａに臨ませて突設されている。また、各第１分岐管２５の内部には樹脂配管を抜け止めするための図示しないロックリングが装着されている。そして、各第１分岐管２５には室内の流し台や洗面化粧台等の水回り器具に接続される給水配管２６（樹脂配管）が前記通気口１３ａを通じて連結されるようになっている。
【００１９】
図１、図２及び図４に示すように、第１給水用ヘッダー２１の両開口端部にはフランジとしての第１フランジ２７が周設され、各第１フランジ２７より内側には第１環状溝２８が凹設されている。第１給水用ヘッダー２１の一端（図２では左端）には前記挿通孔１４を通じて給水元管２０を接続可能とする継手２９が配設される。同継手２９の一端部には第２フランジ２９ａが周設されるとともに、この第２フランジ２９ａより内側には第２環状溝２９ｂが凹設されている。そして、第２フランジ２９ａの外面を第１給水用ヘッダー２１の第１フランジ２７の外面に突き合わせた状態で、両フランジにクイックファスナー３１が装着されることにより、継手２９が第１給水用ヘッダー２１に連結されるとともに、同継手２９を介して第１給水用ヘッダー２１に給水元管２０が接続される。
【００２０】
図３（ａ）、（ｂ）に示すように、クイックファスナー３１はばね性を有する金属材料からなる板材を左右対称に曲げることにより、先端部間に開口部を有する弧状に形成されている。該クイックファスナー３１の中央部にはヒンジ部３２が断面コ字状に折曲形成され、両開口端部にはガイド部３３がそれぞれ外方へ拡がるように折り曲げ形成されている。また、クイックファスナー３１の両側壁には挟持孔３４が透設されている。
【００２１】
そして、図４に示すように、第１給水用ヘッダー２１の第１フランジ２７と継手２９の第２フランジ２９ａとが突き合わされた状態で、クイックファスナー３１の挟持孔３４に両フランジ２７、２９ａが挟持されるようにガイド部３３側からクイックファスナー３１を装着するようになっている。ここで、一対の第１フランジ２７の幅は挟持孔３４を形成する内側壁３５間の間隔とほぼ同じに設定され、両フランジ２７、２９ａがクイックファスナー３１により連結固定されるようになっている。
【００２２】
また、第１給水用ヘッダー２１の他端には別の給水用ヘッダー（第２給水用ヘッダー２３）が、相対向する第１フランジ２７の外面同士を突き合わせた状態で、両フランジ２７にクイックファスナー３１を装着することにより連結されている。
【００２３】
図１及び図５に示すように、第２給水用ヘッダー２３の他端には、両点検口１５、１７を通じて前記給湯器へと延びる給水管２２を接続可能とする第１エルボ継手３７が連結されている。すなわち、図２に示すように、この第１エルボ継手３７の一端部には第３フランジ３７ａが周設されるとともに、この第３フランジ３７ａより内側には第３環状溝３７ｂが凹設されている。そして、この第３フランジ３７ａの外面を第２給水用ヘッダー２３の第１フランジ２７の外面に突き合わせた状態で、両フランジ２７、３７ａにクイックファスナー３１が装着されることにより、第２給水用ヘッダー２３に第１エルボ継手３７が連結されるとともに、この第１エルボ継手３７を介して給水管２２が接続される。
【００２４】
一方、図１及び図２に示すように、給湯用ヘッダーは、給湯器から延びる給湯管４０が接続される第１給湯用ヘッダー４１と、同第１給湯用ヘッダー４１と連結可能な第２給湯用ヘッダー４２とから構成されている。図５に示すように、これら給湯用ヘッダー４１、４２は、上記給水用ヘッダー２１、２３よりもヘッダーボックス１２内の前部に配置されるとともに、同給水用ヘッダー２１、２３よりも低く配設されている。すなわち、給湯用ヘッダーと給水用ヘッダーとはそれぞれ側面視段違い状に配設されている。
【００２５】
第１給湯用ヘッダー４１は金属材料により円筒状に形成され、内部にはその長さ方向に延びる第２流路４３が形成されている。第１給湯用ヘッダー４１の外周面には複数（本実施形態では３つ）の第２分岐管４４がその開口部を前記通気口１３ａに対向させて突設されている。また、各第２分岐管４４の内部には樹脂配管を抜け止めするための図示しないロックリングが装着されている。そして、各第２分岐管４４には室内の流し台や洗面化粧台等の水回り器具に接続される給湯配管４５（樹脂配管）が前記通気口１３ａを通じて連結されるようになっている。
【００２６】
第１給湯用ヘッダー４１の両開口端部には第４フランジ４６が周設され、各第４フランジ４６より内側にはそれぞれ第４環状溝４７が凹設されている。第１給湯用ヘッダー４１の一端（図２では左端）には前記給湯器から両点検口１５、１７を通じて延びる給湯管４０を接続可能とする第２エルボ継手４８が連結されている。この第２エルボ継手４８の一端部には第５フランジ４８ａが周設され、この第５フランジ４８ａより内側には第５環状溝４８ｂが凹設されている。そして、この第５フランジ４８ａと第１給湯用ヘッダー４１の第４フランジ４６とを突き合わせた状態で、両フランジ４６、４８ａにクイックファスナー３１を装着することにより、第２エルボ継手４８を介して給湯管４０が接続される。
【００２７】
第１給湯用ヘッダー４１の他端には第２給湯用ヘッダー４２が連結されている。この第２給湯用ヘッダー４２は、金属材料により略円筒状に形成され、他端部が閉塞されている。第２給湯用ヘッダー４２の外周面には第１給湯用ヘッダー４１と同様の複数（本実施形態では３つ）の第２分岐管４４がその開口部を前記通気口１３ａに臨ませて突設されている。第２給湯用ヘッダー４２の開口端部には第６フランジ４９が周設され、その内側には第６環状溝５０が凹設されている。そして、第２給湯用ヘッダー４２の第６フランジ４９と第１給湯用ヘッダー４１の第４フランジ４６とを突き合わせた状態で、両フランジ４６、４９にクイックファスナー３１を装着することにより、両ヘッダー４１、４２が連結される。
【００２８】
次に、給水及び給湯装置の施工方法について以下に記載する。
前記給水及び給湯装置を施工する場合には、まずヘッダーボックス１２内に各ヘッダーを配設する。すなわち、第１給湯用ヘッダー４１の第４フランジ４６と第２給湯用ヘッダー４２の第６フランジ４９とを突き合わせた状態で、両フランジ４６、４９にクイックファスナー３１を装着し、両給湯用ヘッダー４１、４２を連結する。次いで、第１固定部材１８をヘッダーボックス１２の底壁の前部に固定するとともに、前記両給湯用ヘッダー４１、４２が第２固定部材１９の内側に配設されるように同第２固定部材１９をそれぞれ第１固定部材１８に取付け固定する。
【００２９】
次に、上記と同様に、第１給水用ヘッダー２１及び第２給水用ヘッダー２３の第１フランジ２７同士を突き合わせた状態で、両フランジ２７にクイックファスナー３１を装着し、両給水用ヘッダー２１、２３を連結する。次いで、第１固定部材１８をヘッダーボックス１２の底壁の後部に固定するとともに、前記両給水用ヘッダー２１、２３が第２固定部材１９の内側に配設されるように同第２固定部材１９を第１固定部材１８に取付け固定する。
【００３０】
そして、上記ヘッダーボックス１２の後部の開口が基礎１３の通気口１３ａに臨むように同ヘッダーボックス１２を犬走り上に固定する。次いで、前記通気口１３ａを通じて室内の各水回り器具に延びる給湯配管４５及び給水配管２６をそれぞれ給湯用ヘッダー４１、４２の第２分岐管４４及び給水用ヘッダー２１、２３の第１分岐管２５に連結する。これと同時に第１給水用ヘッダー２１の一端部に継手２９を接続し、給水元管２０を第１給水用ヘッダー２１に接続する。
【００３１】
続いて、図６に示すように、ヘッダーボックス１２上に給湯器用ボックス１１を載置するとともに、給湯器から延びる給水管２２及び給湯管４０を両点検口１５、１７を通じてヘッダーボックス１２内に導く。そして、給水管２２の先端部の第１エルボ継手３７を第２給水用ヘッダー２３の他端部に接続するとともに、給湯管４０の先端部の第２エルボ継手４８を第１給湯用ヘッダー４１の一端部に接続する。
【００３２】
さて、図１に示すように、給水管２２及び給湯管４０は、給湯器用ボックス１１内の給湯器からヘッダーボックス１２内に直接導入され、各ヘッダー２３、４１に接続されている。すなわち、給水管２２及び給湯管４０の全部分が給湯器用ボックス１１内及びヘッダーボックス１２内に位置し、冬期等に気温が低下する場合でも給湯器用ボックス１１内及びヘッダーボックス１２内の保温された空間内で給湯管４０が保持され、同給湯管４０が外気によって直接冷やされることがない。その結果、給湯管４０内を流通する湯の熱効率が低下するのが抑制される。
【００３３】
また、第２給水用ヘッダー２３及び第１給湯用ヘッダー４１にそれぞれ給水管２２及び給湯管４０等を接続した後にこれらの接続状態の点検作業を行う場合には、まず給湯器の開閉扉１６を開放し、次いで両点検口１５、１７を通じてヘッダーボックス１２内を視認する。このとき、ヘッダーボックス１２内が直接視認され、前記点検作業が容易に行われる。
【００３４】
前記の実施形態によって発揮される効果について、以下に記載する。
・  実施形態の給水及び給湯装置では、給水用ヘッダー及び給湯用ヘッダーがヘッダーボックス１２内に配置されるとともに、同ヘッダーボックス１２上に給湯器用ボックス１１が載置されるようになっている。これに伴って、給湯器から延びる給水管２２及び給湯管４０の全部分が給湯器用ボックス１１内及びヘッダーボックス１２内に配設される。このため、給水管２２及び給湯管４０は外部には露出せず、冬期等に気温が低下する場合にも給湯管４０が外気により直接冷やされることがない。従って、これらの内部を流通する湯の熱効率の低下を効果的に抑制することができる。
【００３５】
また、本実施形態の給水及び給湯装置は、給水用ヘッダー及び給湯用ヘッダーが収容されたヘッダーボックス１２と給湯器用ボックス１１とが一体化されて構成されている。このため、同給湯器用ボックス１１と各ヘッダーとが離間して配置されるタイプに比べて、本実施形態の給水及び給湯装置では、給水管２２及び給湯管４０の長さが必然的に短くなる。このため、給水管２２及び給湯管４０を各ヘッダー２３、４１に接続する作業を容易かつ迅速に行うことができる。加えて、給湯器から供給される湯を各水回り器具に迅速に分岐させることができ、湯待ち時間の短縮を図ることができる。
【００３６】
さらに、ヘッダーボックス１２により給水管２２及び給湯管４０が保護されているため、太陽光等による給水管２２及び給湯管４０の劣化や損傷を効果的に抑制することができる。
【００３７】
・  前記ヘッダーボックス１２の上側壁には第１点検口１５が開口されるとともに、給湯器の底壁には第１点検口１５に連通する第２点検口１７が透設されている。このため、各ヘッダー２３、４１への給水管２２及び給湯管４０等の接続状態を点検する場合には、給湯器用ボックス１１の内部から両点検口１５、１７を通じてヘッダーボックス１２内を容易に視認及び点検することができる。
【００３８】
・  各給水用ヘッダー２１、２３及び給湯用ヘッダー４１、４２は、それぞれに設けられたフランジ同士を突き合わせた状態でこれらフランジにクイックファスナー３１を装着することにより連結可能となっている。すなわち、各種ヘッダー同士は、前記フランジの突き合わせ部分の上方からクイックファスナー３１の弾力性を利用して押し込むというワンタッチ作業で連結される。このため、室内の水回り器具の設置状況に応じて各ヘッダーを増設する場合には、給水用ヘッダー２１、２３同士及び給湯用ヘッダー４１、４２同士を容易かつ迅速に連結することができる。
【００３９】
・  本実施形態の給水及び給湯装置を施工する場合には、まずヘッダーボックス１２内に各ヘッダー２１、２３、４１、４２を配設し、同ヘッダーボックス１２を所定位置に固定する。その後、このヘッダーボックス１２上に給湯器用ボックス１１を載置及び固定するとともに、給湯器から延びる給水管２２及び給湯管４０をそれぞれ所定のヘッダー２３、４１に接続する。すなわち、給湯器用ボックス１１の近傍位置に各種ヘッダーが配置されるようになっている。このため、給湯器用ボックス１１と各ヘッダーとが離間して配置されるタイプに比べて、給水管２２及び給湯管４０の接続作業等に要するスペースが小さくなる。その結果、前記接続作業を容易かつ迅速に行うことができる。
【００４０】
・  前記ヘッダーボックス１２内において、給水用ヘッダー２１、２３及び給湯用ヘッダー４１、４２は、これらの分岐管２５、４４の開口部が建物の基礎１３に設けられた通気口１３ａに臨むように配設されるようになっている。すなわち、前記通気口１３ａを通じて室内の各水回り器具に延びる給水配管２６及び給湯配管４５を容易かつ迅速に各分岐管２５、４４に接続することができる。
【００４１】
・  上記給水用ヘッダー２１、２３及び給湯用ヘッダー４１、４２は、ヘッダーボックス１２内でそれぞれ側面視段違い状に配設されている。このため、ヘッダーボックス１２内において、給水用ヘッダー２１、２３の前部（内奥部）に位置する給湯用ヘッダー４１、４２の第２分岐管４４に給湯配管４５を接続する場合には、作業者の手が前記給水用ヘッダー２１、２３に接触することが抑制される。従って、給湯配管４５を各第２分岐管４４に容易かつ迅速に接続することができる。
【００４２】
なお、本実施形態は、次のように変更して具体化することも可能である。
・  前記給水及び給湯装置を施工する場合、まずヘッダーボックス１２を犬走り上に固定し、次いでその第１点検口１５を通じて各ヘッダー２１、２３、４１、４２をヘッダーボックス１２内に配設した後、ヘッダーボックス１２上に給湯器用ボックス１１を載置するようにしてもよい。
【００４３】
・  ヘッダーボックス１２の上側壁を取り外し可能な構成にしてもよい。このように構成した場合、ヘッダーボックス１２内に各ヘッダー２１、２３、４１を配設する際には、同ヘッダーボックス１２の上側壁を取り外すことにより十分な作業スペースが確保される。その結果、各ヘッダー２１、２３、４１の配設作業の容易化及び迅速化を図ることができる。
【００４４】
・  ヘッダーボックス１２の下端部を犬走りに埋設してもよい。このように構成した場合、ヘッダーボックス１２を安定かつ強固に固定することができる。また、ヘッダーボックス１２全体を犬走りに埋設してもよい。このように構成した場合、ヘッダーボックス１２内の保温効果をさらに向上させることができる。加えて、ヘッダーボックス１２が地上に露出せず、これに伴って犬走りの外観が損なわれるのを抑えることができる。
【００４５】
・  各ヘッダー２１、２３、４１と継手２９及びエルボ継手３７、４８との接続部分において、ヘッダー２１、２３、４１の開口部内周面に雌ネジ部を螺刻するとともに、継手２９及びエルボ継手３７、４８の一端部外周面に雄ネジ部を設けてもよい。このとき、雄ネジ部と雌ネジ部との螺合により各ヘッダー２１、２３、４１に継手２９及びエルボ継手３７、４８が連結される。このように構成した場合、連結部材が不要となり、部品数の低減を図ることができる。
【００４６】
・  第１点検口１５及び第２点検口１７の形状は平面視細長四角形状に限定されるものではなく、例えば楕円形状及び多角形状等に変更してもよい。また、ヘッダーボックス１２の上側壁に平面視略四角形状をなす複数の点検口を格子状に透設する構成を採用してもよい。
【００４７】
・  ヘッダーボックス１２の前側壁及び左右両側壁のいずれかにも点検口を開口する構成を採用してもよい。このように構成した場合、前記点検口を通じてヘッダーボックス１２内を直接視認することができる。なおこのとき、前記点検口は１つに限定されず、ヘッダーボックス１２の前側壁及び左右両側壁に複数設けてもよい。
【００４８】
・  室内の水回り器具の数に応じて各種ヘッダーの数を適宜変更してもよい。
・  給水用ヘッダーをヘッダーボックス１２内の前部側に、給湯用ヘッダーをヘッダーボックス１２内の後部側に配設する構成に変更してもよい。
【００４９】
・  各ヘッダー２１、２３、４１を架橋ポリエチレン等の合成樹脂により形成してもよい。
・  各ヘッダー２１、２３、４１の分岐管２５、４４の先端外周面にフランジを周設する構成を採用してもよい。このとき、給水配管２６及び給湯配管４５と各分岐管２５、４４とはそれぞれ継手を介して接続される。この継手の一端部にはフランジが周設され、同継手及び分岐管２５、４４のフランジ同士を突き合わせた状態で両フランジにクイックファスナー３１を装着することにより継手と分岐管２５、４４とが連結される。
【００５０】
・  冬期等に気温が低下する場合、ヘッダーボックス１２内に断熱材を設置する構成を採用してもよい。このように構成した場合、ヘッダーボックス１２内の保温効果が向上し、これに伴って給湯管４０内を流通する湯の熱効率の低下をさらに効果的に抑制することができる。
【００５１】
さらに、前記実施形態より把握できる技術的思想について以下に記載する。
（１）  前記給水用ヘッダー及び給湯用ヘッダーは、これらの外周面に突設された複数の分岐管の開口部が建物の基礎に設けられた通気口に臨むように配設され、当該通気口を通じて室内の各水回り器具に接続される給水配管及び給湯配管がそれぞれ分岐管に連結されるように構成されている請求項１から請求項３のいずれか一項に記載の給水及び給湯装置。このように構成した場合、給水配管及び給湯配管を各分岐管に容易に接続することができる。
【００５２】
（２）  前記給水用ヘッダー及び給湯用ヘッダーはそれぞれ段違い状に配設されていることを特徴とする前記（１）に記載の給水及び給湯装置。このように構成した場合、給水配管及び給湯配管を各分岐管に容易かつ迅速に接続することができる。
【図面の簡単な説明】
【００５３】
【図１】本実施形態の給水及び給湯装置を示す斜視図。
【図２】本実施形態の給水用ヘッダー及び給湯用ヘッダー示す斜視図。
【図３】（ａ）はクイックファスナーを示す斜視図、（ｂ）は図３（ａ）の３ｂ−３ｂ線における断面図。
【図４】本実施形態の給水用ヘッダーを示す正面図。
【図５】本実施形態の給水及び給湯装置を示す部分側断面図。
【図６】本実施形態の給水及び給湯装置を示す分解斜視図。
【符号の説明】
【００５４】
１１…給湯器用ボックス、１２…ヘッダーボックス、１３…基礎、１５…点検口としての第１点検口、２１…給水用ヘッダーとしての第１給水用ヘッダー、２３…給水用ヘッダーとしての第２給水用ヘッダー、２７…フランジとしての第１フランジ、３１…連結部材としてのクイックファスナー、４１…給湯用ヘッダーとしての第１給湯用ヘッダー、４２…給湯用ヘッダーとしての第２給湯用ヘッダー、４６…フランジとしての第４フランジ、４９…フランジとしての第６フランジ。
【図１】
2005127546.tif 000003
【図２】
2005127546.tif 000004
【図３】
2005127546.tif 000005
【図４】
2005127546.tif 000006
【図５】
2005127546.tif 000007
【図６】
2005127546.tif 000008